(57)【特許請求の範囲】
【請求項１】
注射用カニューレ及びプランジャを備えた活性物質容器を有し、該プランジャをカニューレの内腔に連続的に結合されたプランジャ通路（３）に配置するとともに、該プランジャ通路内のカニューレ内腔寄りの部分に移植片（２）を保持するホルダ装置（５）を設けたことを特徴とする移植片の移植装置であって、該ホルダ装置が二つの弾性ピン（７、８）で構成され、該弾性ピンが相互に対向して配置されるとともに、円曲面を構成する端部（１１）を該プランジャ通路に突出させる移植装置。
【請求項２】
注射用カニューレ及びプランジャを備えた活性物質容器を有し、該プランジャをカニューレの内腔に連続的に結合されたプランジャ通路（３）に配置するとともに、該プランジャ通路内のカニューレ内腔寄りの部分に移植片（２）を保持するホルダ装置（５）を設けたことを特徴とする移植片の移植装置であって、該ホルダ装置が二つのスプリングにより付勢されたピン（７、８）で構成され、該ピンが相互に対向して配置されるとともに、円曲面を構成する端部（１１）を該プランジャ通路に突出させる移植装置。
【請求項３】
注射用カニューレ及びプランジャを備えた活性物質容器を有し、該プランジャをカニューレの内腔に連続的に結合されたプランジャ通路（３）に配置するとともに、該プランジャ通路内のカニューレ内腔寄りの部分に移植片（２）を保持するホルダ装置（５）を設けたことを特徴とする移植片の移植装置であって、該ホルダ装置が少なくとも一つのスプリングにより付勢されたボール（９、１０）で構成され、該ボールを球状キャップ（１３）を介して該プランジャ通路に突出させる移植装置。
【発明の詳細な説明】
【０００１】
【産業上の利用分野】
この発明は、注射用カニューレ及びプランジャを備えた活性物質容器で構成されるとともに、プランジャをカニューレの内腔に連続的に結合されたプランジャ通路に配置した移植片の移植装置に関するものである。
【０００２】
【従来の技術】
この種の装置は、ドイツ特許公開第３ ８０２ １５８号に開示されている。これらの装置の欠点は、薬物を収容可能な棒状移植片が、移植室としても機能するプランジャ通路から脱落し、カニューレの内腔を通って抜出してしまい、この結果、移植片を移植に使用出来なくなることである。
【０００３】
【発明の解決しようとする問題点】
本発明の目的は、注射用カニューレ及びプランジャを備えた活性物質容器で構成されるとともに、プランジャをカニューレの内腔に連続的に結合されたプランジャ通路に配置した移植片の移植装置を用いるとともに、プランジャ通路内に移植片の保持装置を配置することにより、従来技術における上記の欠点を解消しようとするものである。
【０００４】
【問題を解決するための手段】
上記の目的を達成するために、本発明によれば、注射用カニューレ及びプランジャを備えた活性物質容器を有し、前記プランジャをカニューレの内腔に連続的に結合されたプランジャ通路に配置するとともに、前記プランジャ通路内のカニューレ内腔寄りの部分に移植片を保持するホルダ装置を設けたことを特徴とする移植片の移植装置が提供される。
【０００５】
なお、前記ホルダ装置は、二つの弾性ピンで構成され、該弾性ピンは相互に対向して配置されるとともに、円曲面を構成する端部を前記プランジャ通路に突出させるように構成することが出来る。また、前記ホルダ装置は、二つのスプリングにより付勢されたピンで構成され、該ピンは相互に対向して配置されるとともに、円曲面を構成する端部を前記プランジャ通路に突出させるように構成することも可能である。さらに、ホルダ装置は、少なくとも一つのスプリングにより付勢されたボール、好ましくは二つの対向して配置されたボールで構成され、該ボールを前記プランジャ通路に突出させるように構成することも可能である。
このホルダ装置は、移植片が移植装置から不用意に抜出するのを防止するだけでなく、移植片を損傷することなくプランジャ通路を解放する。
【０００６】
【実施例】
以下に、本発明を、好適な実施例に関して添付図面を参照しながら詳細に説明する。
所謂ロッドと呼ばれる移植片の移植装置は、注射用カニューレ６とプランジャ４を備えた活性物質容器１で構成される。プランジャ４は、プランジャ通路３内に配置される。プランジャ通路３は、移植片、好ましくは棒状またはロッド状移植片２を収容して、移植室として機能する。プランジャ通路３は、移植時において移植片が通過する通過経路の断面変化を防止するために、カニューレの内腔と連続的に結合されていなければならない。移植片２の活性物質容器１からの不用意な抜出を確実に防止するために、プランジャ通路３の内腔側に寄った位置には移植片２のホルダ装置５が設けられている。ホルダ装置５は、僅かにプランジャ通路３内に突出して、移植片２の移動を阻止する。移植中における移植片の変形や磨損を防止するために、ホルダ装置５は、移植片２に損傷を与えることなく移植片の移動通路から退出して、移植片２の当該通路内の移動を許容するように設計または配置しなければならない。ホルダ装置５は、少なくとも一つ、通常は二つのピン７、８によって構成し、いずれの場合においてもピンの移植片に衝合する先端部１１は円曲面により構成する。ピン７、８は、各種のゴム等の弾性材料により形成することが出来る（図１）。同様に、ピン７、８は、スプリング１２により所定位置に保持される、非弾性材料で構成することも可能である（図２）。また、ピン７、８を剛性ボルトによって構成する場合にも、プランジャ通路３内に突出するその内端部１１は円曲面に形成する。ピン７、８に代えて、球状キャップ１３を介してプランジャ通路３内に突出するボールを用いることも同様に可能である（図３）。この場合、ピン７、８と同様に、ボール９、１０は、弾性材料で形成するか、若しくはスプリング１２により所定位置に保持するように構成する。スプリング１２のバネ力、またはピン又はボールの弾性力は、移植片にプランジャを介して押圧力が負荷された時に、移植片が変形又は磨損を生じることなくホルダ装置５を通過出来るように調整される。
【０００７】
上記の構成において、ホルダ装置５は、ピン７、８またはボール９、１０の弾性力またはこれを付勢するスプリング１２のバネ力により通常状態で、図示のようにプランジャ通路３内に側方より僅かに突出する。この状態で、移動片２のカニューレ内腔側端部は、ホルダ装置のピン又はボールのプランジャ通路３内突出部に衝合して、内腔側への変位を阻止される。従って、移植片２が、プランジャ通路３内で自由に変位して、不用意にカニューレ内腔を通って抜出することが未然に防止される。
【０００８】
一方、移植に際しては、プランジャ４によって押圧力を移植片に作用させると、この押圧力がホルダ装置５のピン７、８又はボール９、１０に作用する。図示のように、ピン又はボールのプランジャ通路に突出している内端部は、円曲面に形成されている結果、プランジャ通路の軸線方向に作用した押圧力の分力がピン又はボールの押し込み方向の力として作用して、ピン又はボールの弾性力またはバネ力に打ち勝ち、ピン又はボールをプランジャ通路より退出させる。従って、移植片は、プランジャ４によりカニューレの内腔６を通って押し出される。
なお、ピン又はボールにバネ力を作用させるスプリングは、機械式スプリングに限定されるものではなく、空気式または流体式等種々のスプリングを用いることが出来るものである。
【０００９】
【発明の効果】
上記のように、本発明によれば、プランジャ通路内に移植片を保持するホルダ装置を設けることにより、移植片がプランジャ通路内で自由に変位して、不用意にカニューレ内腔を通って抜出することが未然に防止される。
【図面の簡単な説明】
【図１】本発明の好適実施例による移植片の移植装置の断面図である。
【図２】本発明の好適実施例による移植片の移植装置に用いるホルダ装置の他の実施例の、図１のＺ部分の詳細を示す断面図である。
【図３】本発明の好適実施例による移植片の移植装置に用いるホルダ装置のさらに他の実施例の、図１のＺ部分の詳細を示す断面図である。
【符号の説明】
１  …  活性物質容器
２  …  移植片
３  …  プランジャ通路
４  …  カニューレ
５  …  ホルダ装置
６  …  カニューレ
７、８  …  ピン
９、１０  …  ボール
１２  …  スプリング
【図１】
0003542822.tif 000002
【図２】
0003542822.tif 000003
【図３】
0003542822.tif 000004